【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】  識別情報を可変表示可能な可変表示部を備え、遊技者が所定の遊技を行うことが可能な遊技機であって、
遊技の進行を制御する遊技制御手段と、遊技機に設けられる電気部品を制御するための電気部品制御処理を行う電気部品制御手段とを備え、
前記遊技制御手段は、前記電気部品制御手段に対してコマンドデータとコマンドデータの取込みを指定する取込信号とを出力するためのコマンド出力処理を実行するコマンド出力手段を有し、
前記コマンド出力手段は、前記可変表示部において識別情報の可変表示の開始を指示するときに可変表示パターンを特定するためのコマンドデータを出力する可変表示開始コマンド出力手段と、可変表示の表示結果を特定するためのコマンドデータを出力する表示結果コマンド出力手段と、識別情報の可変表示の終了を指示するときに可変表示終了を特定するためのコマンドデータを出力する可変表示終了コマンド出力手段とを含み、
前記電気部品制御手段は、所定周期で発生する割込に応じて前記電気部品制御処理を行うための所定の定期割込処理を実行するとともに、前記遊技制御手段からの取込信号の入力にもとづく割込に応じて前記遊技制御手段が出力したコマンドを受信するためのコマンド受信処理を実行し、前記コマンド受信処理を前記定期割込処理よりも優先して実行する
ことを特徴とする遊技機。
【請求項２】  電気部品制御手段は、コマンド受信処理が終了するまでは割込を許可しない
請求項１記載の遊技機。
【請求項３】  定期割込処理の実行中に取込信号の入力にもとづく割込が発生すると、電気部品制御手段は、定期割込処理を中断してコマンド受信処理を実行する
請求項１または請求項２記載の遊技機。
【請求項４】  電気部品制御手段は、定期割込処理を割込許可状態で実行する
請求項１から請求項３のうちのいずれかに記載の遊技機。
【請求項５】  電気部品制御手段は、割込を発生可能な複数の割込発生部を含み、
前記各割込発生部の優先順位の設定が可能であって、
前記電気部品制御手段は、コマンド受信割込のための割込を発生する割込発生部の優先順位を、定期割込処理のための割込を発生する割込発生部の優先順位よりも高く設定する
請求項１から請求項４のうちのいずれかに記載の遊技機。
【請求項６】  電気部品制御手段は、遊技制御手段からの取込信号の入力に応じて特定レジスタの値を更新する更新手段を備え、前記特定レジスタの値が所定値になったことに応じて、前記遊技制御手段が出力したコマンドを受信するためのコマンド受信処理を実行する
請求項１から請求項５のうちのいずれかに記載の遊技機。
【請求項７】  電気部品制御手段は、初期設定処理で、特定レジスタに初期値を設定する
請求項６記載の遊技機。
【請求項８】  電気部品制御手段は、受信されたコマンドデータを同時に複数格納可能な記憶手段を有する
請求項１から請求項７のうちのいずれかに記載の遊技機。
【請求項９】 電気部品制御手段は、コマンド受信処理において、受信されたコマンドデータが適正なコマンドデータであるか否かを判定するコマンド判定処理を実行する
請求項１から請求項８のうちのいずれかに記載の遊技機。
【請求項１０】 コマンド出力手段は、電気部品制御手段に送出される１つのコマンドとして、２つのコマンドデータを出力する
請求項１から請求項９のうちのいずれかに記載の遊技機。
【請求項１１】 コマンド出力手段は、１つ目のコマンドデータと次のコマンドデータとを識別可能な態様で出力する
請求項１０記載の遊技機。
【手続補正２】
【補正対象書類名】明細書
【補正対象項目名】００１０
【補正方法】変更
【補正の内容】
【００１０】
【課題を解決するための手段】
本発明による遊技機は、識別情報を可変表示可能な可変表示部を備え、遊技者が所定の遊技を行うことが可能な遊技機であって、遊技の進行を制御する遊技制御手段と、遊技機に設けられる電気部品を制御するための電気部品制御処理を行う電気部品制御手段とを備え、遊技制御手段は、電気部品制御手段に対してコマンドデータとコマンドデータの取込みを指定する取込信号とを出力するためのコマンド出力処理を実行するコマンド出力手段を有し、コマンド出力手段が、可変表示部において識別情報の可変表示の開始を指示するときに可変表示パターンを特定するためのコマンドデータを出力する可変表示開始コマンド出力手段と、可変表示の表示結果を特定するためのコマンドデータを出力する表示結果コマンド出力手段と、識別情報の可変表示の終了を指示するときに可変表示終了を特定するためのコマンドデータを出力する可変表示終了コマンド出力手段とを含み、電気部品制御手段が、所定周期で発生する割込に応じて電気部品制御処理を行うための所定の定期割込処理を実行するとともに、遊技制御手段からの取込信号の入力にもとづく割込に応じて遊技制御手段が出力したコマンドを受信するためのコマンド受信処理を実行し、コマンド受信処理を定期割込処理よりも優先して実行することを特徴とする。
【手続補正３】
【補正対象書類名】明細書
【補正対象項目名】００１３
【補正方法】変更
【補正の内容】
【００１３】
電気部品制御手段が、定期割込処理を割込許可状態で実行するように構成されていることが好ましい。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
電気部品制御手段が割込を発生可能な複数の割込発生部を含み、各割込発生部の優先順位の設定が可能であって、電気部品制御手段が、コマンド受信割込のための割込を発生する割込発生部の優先順位を、定期割込処理のための割込を発生する割込発生部の優先順位よりも高く設定するように構成されていてもよい。
【手続補正６】
【補正対象書類名】明細書
【補正対象項目名】００１８
【補正方法】変更
【補正の内容】
【００１８】
電気部品制御手段は、受信されたコマンドデータを同時に複数格納可能な記憶手段を有するように構成されていてもよい。
【手続補正７】
【補正対象書類名】明細書
【補正対象項目名】００１９
【補正方法】変更
【補正の内容】
【００１９】
電気部品制御手段は、コマンド受信処理において、受信されたコマンドデータが適正なコマンドデータであるか否かを判定するコマンド判定処理を実行するように構成されていてもよい。
【手続補正８】
【補正対象書類名】明細書
【補正対象項目名】００２０
【補正方法】変更
【補正の内容】
【００２０】
コマンド出力手段が、電気部品制御手段に送出される１つのコマンドとして、２つのコマンドデータを出力するように構成されていてもよい。
【手続補正９】
【補正対象書類名】明細書
【補正対象項目名】００２１
【補正方法】変更
【補正の内容】
【００２１】
コマンド出力手段が、１つ目のコマンドデータと次のコマンドデータとを識別可能な態様で出力するように構成されていてもよい。
【手続補正１０】
【補正対象書類名】明細書
【補正対象項目名】０３１７
【補正方法】変更
【補正の内容】
【０３１７】
【発明の効果】
以上のように、本発明によれば、遊技機を、電気部品制御手段が、所定周期で発生する割込に応じて電気部品制御処理を行うための所定の定期割込処理を実行するとともに、遊技制御手段からの取込信号の入力にもとづく割込に応じて遊技制御手段が出力したコマンドを受信するためのコマンド受信処理を実行し、コマンド受信処理を定期割込処理よりも優先して実行するように構成したので、電気部品制御手段は、確実に遊技制御手段からのコマンドを受信することができる効果がある。また、電気部品制御が定期的に実行されるので、処理の実行に偏りが生じない。
【手続補正１１】
【補正対象書類名】明細書
【補正対象項目名】０３２０
【補正方法】変更
【補正の内容】
【０３２０】
電気部品制御手段が、定期割込処理を割込許可状態で実行するように構成されている場合には、定期割込処理実行中に取込信号が入力されたら、それにもとづくコマンド受信処理を開始できるので、遊技制御手段からのコマンドを取りこぼすことなく確実に受信できる。
【手続補正１２】
【補正対象書類名】明細書
【補正対象項目名】０３２１
【補正方法】削除
【補正の内容】
【手続補正１３】
【補正対象書類名】明細書
【補正対象項目名】０３２２
【補正方法】変更
【補正の内容】
【０３２２】
各割込発生部の優先順位の設定が可能であって、電気部品制御手段が、コマンド受信割込のための割込を発生する割込発生部の優先順位を、定期割込処理のための割込を発生する割込発生部の優先順位よりも高く設定するように構成されている場合には、容易に、コマンド受信処理を定期割込処理よりも優先して実行する構成を実現することができる。
【手続補正１４】
【補正対象書類名】明細書
【補正対象項目名】０３２５
【補正方法】変更
【補正の内容】
【０３２５】
電気部品制御手段が、受信されたコマンドデータを同時に複数格納可能な記憶手段を有するように構成されている場合には、電気部品制御手段における制御処理が遅れても受信したコマンドデータが失われてしまうことはなく、電気部品制御手段は、受信コマンドにもとづく処理を確実に行うことができる。
【手続補正１５】
【補正対象書類名】明細書
【補正対象項目名】０３２６
【補正方法】変更
【補正の内容】
【０３２６】
電気部品制御手段が、コマンド受信処理において、受信されたコマンドデータが適正なコマンドデータであるか否かを判定するコマンド判定処理を実行するように構成されている場合には、電気部品制御手段にて、誤った制御が実行されてしまうことが防止される。
【手続補正１６】
【補正対象書類名】明細書
【補正対象項目名】０３２７
【補正方法】変更
【補正の内容】
【０３２７】
コマンド出力手段が、電気部品制御手段に送出される１つのコマンドとして、２つのコマンドデータを出力するように構成されている場合には、例えばコマンドをコマンドの分類とコマンドの種類に分けてコマンド受信処理の簡略化を図ったり、２つのコマンドデータの相互関係にもとづく受信コマンドチェックを行うことが可能になって、適正なコマンドの送受信処理を行うことができる。
【手続補正１７】
【補正対象書類名】明細書
【補正対象項目名】０３２８
【補正方法】変更
【補正の内容】
【０３２８】
コマンド出力手段が、１つ目のコマンドデータと次のコマンドデータとを識別可能な態様で出力するように構成されている場合には、各電気部品制御手段は受信コマンドチェックを容易に行うことができる。